【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
第１の通信デバイスをマルチキャストグループに加える方法において、
前記第１の通信デバイスと、すでに前記マルチキャストグループのメンバーである、第２の通信デバイスとの間に近距離通信リンクを確立することと、
前記近距離通信リンクを使用して、前記第２の通信デバイスから前記第１の通信デバイスに、前記マルチキャストグループに関係するマルチキャストサービス広告を送信することと、
前記マルチキャストサービス広告に基づいて、前記第１の通信デバイスを前記マルチキャストグループに加えることとを含む方法。
【請求項２】
前記マルチキャストサービス広告に基づいて、前記第１の通信デバイスを前記マルチキャストグループに加えることは、
前記第１の通信デバイスの通信機能に関係するシグナリングデータを、前記マルチキャストグループの別のメンバーに送信することを含む請求項１記載の方法。
【請求項３】
前記マルチキャストサービス広告に基づいて、前記第１の通信デバイスを前記マルチキャストグループに加えることは、
前記第１の通信デバイスから前記第２の通信デバイスに、前記第１の通信デバイスの通信機能に関係するシグナリングデータを送信することと、
前記第２の通信デバイスから前記マルチキャストグループの別のメンバーに、前記シグナリングデータを送信することとを含む請求項１記載の方法。
【請求項４】
前記シグナリングデータは、前記近距離通信リンクによって、前記第１の通信デバイスから前記第２の通信デバイスに送信される請求項３記載の方法。
【請求項５】
前記第１の通信デバイスから前記第２の通信デバイスに、マルチキャストサービス広告に対する要求を送信することをさらに含む請求項１記載の方法。
【請求項６】
前記近距離通信リンクは、ニアフィールド通信（ＮＦＣ）プロトコル通信リンクである請求項１記載の方法。
【請求項７】
マルチキャストグループを生成させる方法において、
マルチキャスト機能により、第１の通信デバイスと第２の通信デバイスとの間に近距離通信リンクを確立することと、
前記近距離通信リンクを使用して、前記第２の通信デバイスから前記第１の通信デバイスに、マルチキャストグループを生成させることに関係するマルチキャストサービス広告を送信することと、
前記第１の通信デバイスと前記第２の通信デバイスとを含むマルチキャストグループを確立することとを含む方法。
【請求項８】
前記第１の通信デバイスから前記第２の通信デバイスに、前記第１の通信デバイスの機能に関係するシグナリングデータを送信することをさらに含む請求項７記載の方法。
【請求項９】
前記第１の通信デバイスから前記第２の通信デバイスに、マルチキャストサービス広告に対する要求を送信することをさらに含む請求項７記載の方法。
【請求項１０】
第３の通信デバイスと前記第２の通信デバイスとの間に近距離通信リンクを確立することと、
前記近距離通信リンクを使用して、前記第２の通信デバイスから前記第３の通信デバイスに、前記マルチキャストグループに関係するマルチキャストサービス広告を送信することと、
前記マルチキャストサービス広告に基づいて、前記第３の通信デバイスを前記マルチキャストグループに加えることとをさらに含む請求項７記載の方法。
【請求項１１】
前記近距離通信リンクは、ニアフィールド通信（ＮＦＣ）プロトコル通信リンクである請求項７記載の方法。
【請求項１２】
第１の通信デバイスをマルチキャストグループから取り除く方法において、
マルチキャストグループのメンバーである、前記第１の通信デバイスと、同様に前記マルチキャストグループのメンバーである、第２の通信デバイスとの間に近距離通信リンクを確立することと、
前記第１の通信デバイスから前記第２の通信デバイスに、切断メッセージを送信することと、
前記第１の通信デバイスを前記マルチキャストグループから取り除くこととを含む方法。
【請求項１３】
前記第２の通信デバイスから前記マルチキャストグループの他のメンバーに、前記切断メッセージを送信することをさらに含む請求項１２記載の方法。
【請求項１４】
前記近距離通信リンクは、ニアフィールド通信（ＮＦＣ）プロトコル通信リンクである請求項１２記載の方法。
【請求項１５】
移動デバイスにおいて、
プロセッサと、
前記プロセッサに結合された第１のトランシーバと、
前記プロセッサに結合された第２のトランシーバと、
前記プロセッサに結合されたメモリとを具備し、
前記第２のトランシーバは近距離通信トランシーバであり、
前記プロセッサは、
前記第２のトランシーバによって、前記移動デバイスと通信デバイスとの間に近距離通信リンクを確立することと、
前記近距離通信によって伝達される情報に基づいて、マルチキャストグループに加わり、マルチキャストグループ通信は、前記第１のトランシーバによって送信および受信されることと、
を含むステップを実行するためのソフトウェア命令を備えるように構成されている移動デバイス。
【請求項１６】
前記プロセッサは、前記近距離通信リンクによって、すでに前記マルチキャストグループのメンバーである前記通信デバイスから、前記マルチキャストグループに関係するマルチキャストサービス広告を受信することをさらに含むステップを実行するためのソフトウェア命令を備えるように構成されており、
前記マルチキャストグループに加わることは、前記受信したマルチキャストサービス広告に基づいて、前記移動デバイスが前記マルチキャストグループに加わることを含む請求項１５記載の移動デバイス。
【請求項１７】
前記プロセッサは、前記移動デバイスの通信機能に関係するシグナリングデータを前記マルチキャストグループの別のメンバーに送信することをさらに含むステップを実行するためのソフトウェア命令を備えるように構成されている請求項１６記載の移動デバイス。
【請求項１８】
前記プロセッサは、前記近距離通信リンクによって、前記移動デバイスの通信機能に関係するシグナリングデータを前記通信デバイスに送信することをさらに含むステップを実行するためのソフトウェア命令を備えるように構成されている請求項１６記載の移動デバイス。
【請求項１９】
前記プロセッサは、前記近距離通信リンクによって、マルチキャストサービス広告に対する要求を前記通信デバイスに送信することをさらに含むステップを実行するためのソフトウェア命令を備えるように構成されている請求項１６記載の移動デバイス。
【請求項２０】
前記プロセッサは、前記近距離通信リンクによって、前記通信デバイスからマルチキャストグループを生成させることに関係するマルチキャストサービス広告を送信することをさらに含むステップを実行するためのソフトウェア命令を備えるように構成されており、
前記マルチキャストグループに加わることは、前記マルチキャストサービス広告に基づいて、前記移動デバイスと前記通信デバイスとを含む前記マルチキャストグループを確立することを含む請求項１５記載の移動デバイス。
【請求項２１】
前記プロセッサは、前記近距離通信リンクによって、前記通信デバイスの通信機能に関係するシグナリングデータを前記通信デバイスから受信することをさらに含むステップを実行するためのソフトウェア命令を備えるように構成されている請求項２０記載の移動デバイス。
【請求項２２】
前記プロセッサは、前記近距離通信リンクによって、前記移動デバイスがメンバーである、確立されたマルチキャストグループに関係するマルチキャストサービス広告を前記通信デバイスに送信することをさらに含むステップを実行するためのソフトウェア命令を備えるように構成されており、
前記マルチキャストグループに加わることは、前記マルチキャストサービス広告に基づいて、前記移動デバイスを含む前記マルチキャストグループに前記通信デバイスが加わることを含む請求項１５記載の移動デバイス。
【請求項２３】
前記プロセッサは、前記近距離通信リンクによって、前記通信デバイスからマルチキャストサービス広告に対する要求を受信することをさらに含むステップを実行するためのソフトウェア命令を備えるように構成されている請求項２２記載の移動デバイス。
【請求項２４】
前記プロセッサは、前記近距離通信リンクによって前記通信デバイスに切断メッセージを送信することをさらに含むステップを実行するためのソフトウェア命令を備えるように構成されている請求項１６記載の移動デバイス。
【請求項２５】
前記第２のトランシーバは、ニアフィールド通信（ＮＦＣ）プロトコルトランシーバである請求項１５記載の移動デバイス。
【請求項２６】
有体的記憶媒体において、
移動デバイスと通信デバイスとの間に近距離通信リンクを確立することと、
前記近距離通信リンクによって伝達される情報に基づいて、マルチキャストグループに加わることとを含むステップをプロセッサに実行させるように構成されているプロセッサ実行可能ソフトウェア命令を記憶した有体的記憶媒体。
【請求項２７】
前記有体的記憶媒体は、前記近距離通信リンクによって、すでに前記マルチキャストグループのメンバーである前記通信デバイスから、前記マルチキャストグループに関係するマルチキャストサービス広告を受信することを含むステップをプロセッサにさらに実行させるように構成されているプロセッサ実行可能ソフトウェア命令を有し、
前記マルチキャストグループに加わることは、前記受信したマルチキャストサービス広告に基づいて、前記移動デバイスが前記マルチキャストグループに加わることを含む請求項２６記載の有体的記憶媒体。
【請求項２８】
前記有体的記憶媒体は、前記移動デバイスの通信機能に関係するシグナリングデータを前記マルチキャストグループの別のメンバーに送信することを含むステップをプロセッサにさらに実行させるように構成されているプロセッサ実行可能ソフトウェア命令を有する請求項２７記載の有体的記憶媒体。
【請求項２９】
前記有体的記憶媒体は、前記近距離通信リンクによって、前記プロセッサに利用可能な通信機能に関係するシグナリングデータを前記通信デバイスに送信すること含むステップをプロセッサにさらに実行させるように構成されているプロセッサ実行可能ソフトウェア命令を有する請求項２７記載の有体的記憶媒体。
【請求項３０】
前記有体的記憶媒体は、前記近距離通信リンクによって、マルチキャストサービス広告に対する要求を前記通信デバイスに送信すること含むステップをプロセッサにさらに実行させるように構成されているプロセッサ実行可能ソフトウェア命令を有する請求項２７記載の有体的記憶媒体。
【請求項３１】
前記有体的記憶媒体は、前記近距離通信リンクによって、前記通信デバイスからマルチキャストグループを生成させることに関係するマルチキャストサービス広告を送信すること含むステップをプロセッサにさらに実行させるように構成されているプロセッサ実行可能ソフトウェア命令を有し、
前記マルチキャストグループに加わることは、前記マルチキャストサービス広告に基づいて、前記移動デバイスと前記通信デバイスとを含む前記マルチキャストグループを確立することを含む請求項２６記載の有体的記憶媒体。
【請求項３２】
前記有体的記憶媒体は、前記近距離通信リンクによって、前記通信デバイスの通信機能に関係するシグナリングデータを前記通信デバイスから受信すること含むステップをプロセッサにさらに実行させるように構成されているプロセッサ実行可能ソフトウェア命令を有する請求項３１記載の有体的記憶媒体。
【請求項３３】
前記有体的記憶媒体は、前記近距離通信リンクによって、前記移動デバイスがメンバーである、確立されたマルチキャストグループに関係するマルチキャストサービス広告を前記通信デバイスに送信すること含むステップをプロセッサにさらに実行させるように構成されているプロセッサ実行可能ソフトウェア命令を有し、
前記マルチキャストグループに加わることは、前記マルチキャストサービス広告に基づいて、前記移動デバイスを含む前記マルチキャストグループに前記通信デバイスが加わることを含む請求項２６記載の有体的記憶媒体。
【請求項３４】
前記有体的記憶媒体は、前記近距離通信リンクによって、前記通信デバイスからマルチキャストサービス広告に対する要求を受信すること含むステップをプロセッサにさらに実行させるように構成されているプロセッサ実行可能ソフトウェア命令を有する請求項３３記載の有体的記憶媒体。
【請求項３５】
前記有体的記憶媒体は、前記近距離通信リンクによって前記通信デバイスに切断メッセージを送信することを含むステップをプロセッサにさらに実行させるように構成されているプロセッサ実行可能ソフトウェア命令を有する請求項２７記載の有体的記憶媒体。
【請求項３６】
移動デバイスにおいて、
前記移動デバイスと通信デバイスとの間に近距離通信リンクを確立する手段と、
前記近距離通信リンクによって伝達される情報に基づいて、マルチキャストグループに加わる手段とを具備する移動デバイス。
【請求項３７】
前記近距離通信リンクによって、すでに前記マルチキャストグループのメンバーである前記通信デバイスから、前記マルチキャストグループに関係するマルチキャストサービス広告を受信する手段をさらに具備し、
前記マルチキャストグループに加わる手段は、前記受信したマルチキャストサービス広告に基づいて、前記移動デバイスが前記マルチキャストグループに加わる手段を備える請求３６記載の移動デバイス。
【請求項３８】
前記移動デバイスの通信機能に関係するシグナリングデータを前記マルチキャストグループの別のメンバーに送信する手段をさらに具備する請求項３７記載の移動デバイス。
【請求項３９】
前記移動デバイスの通信機能に関係するシグナリングデータを前記通信デバイスに送信する手段をさらに具備する請求項３７記載の移動デバイス。
【請求項４０】
前記近距離通信リンクによって、マルチキャストサービス広告に対する要求を前記通信デバイスに送信する手段をさらに具備する請求項３７記載の移動デバイス。
【請求項４１】
前記近距離通信リンクによって、前記通信デバイスからマルチキャストグループを生成させることに関係するマルチキャストサービス広告を送信する手段をさらに具備し、
前記マルチキャストグループに加わる手段は、前記マルチキャストサービス広告に基づいて、前記移動デバイスと前記通信デバイスとを含む前記マルチキャストグループを確立する手段を備える請求項３６記載の移動デバイス。
【請求項４２】
前記近距離通信リンクによって、前記通信デバイスの通信機能に関係するシグナリングデータを受信する手段をさらに具備する請求項４１記載の移動デバイス。
【請求項４３】
前記近距離通信リンクによって、前記移動デバイスがメンバーである、確立されたマルチキャストグループに関係するマルチキャストサービス広告を前記通信デバイスに送信する手段をさらに具備し、
前記マルチキャストグループに加わる手段は、前記マルチキャストサービス広告に基づいて、前記移動デバイスを含む前記マルチキャストグループに前記通信デバイスが加わる手段を備える請求項３６記載の移動デバイス。
【請求項４４】
前記近距離通信リンクによって、前記通信デバイスからマルチキャストサービス広告に対する要求を受信する手段をさらに具備する請求項４２記載の移動デバイス。
【請求項４５】
前記近距離通信リンクによって、前記通信デバイスに切断メッセージを送信する手段をさらに具備する請求項３７記載の移動デバイス。
【請求項４６】
前記移動デバイスと通信デバイスとの間に近距離通信リンクを確立する手段は、ニアフィールド通信（ＮＦＣ）プロトコル通信リンクを確立する手段を備える請求項３６記載の移動デバイス。
【請求項４７】
システムにおいて、
ネットワークと、
第１のトランシーバおよび第２のトランシーバを含む第１の通信デバイスと、
第３のトランシーバおよび第４のトランシーバを含む第２の通信デバイスとを具備し、
前記第１のトランシーバは、前記ネットワークによって通信するように構成されており、前記第２のトランシーバは、近距離通信トランシーバであり、
前記第３のトランシーバは、前記ネットワークによって通信するように構成されており、前記第４のトランシーバは、近距離通信トランシーバであり、
前記第１および第２の通信デバイスは、前記第２および第４のトランシーバによって、移動体の間に近距離通信リンクを確立し、かつ、前記近距離通信リンクによって伝達される情報に基づいて、前記第１および第３のトランシーバの間にマルチキャストグループ通信を確立するように構成されているシステム。
【手続補正２】
【補正対象書類名】明細書
【補正対象項目名】００４９
【補正方法】変更
【補正の内容】
【００４９】
いかなる当業者であっても本発明を作成または使用できるように、開示した実施形態の記述をこれまでに提供している。これらの実施形態に対してさまざまな修正が当業者に容易に明らかであり、本発明の精神または範囲から逸脱することなく、ここで規定した一般的な原理を他の実施形態に適用してもよい。したがって、本発明は、ここで示した実施形態に限定されるように意図されていないが、ここで開示した原理および新規な特徴に矛盾しない最も広い範囲に一致すべきである。  
以下に、本願出願の当初の特許請求の範囲に記載された発明を付記する。
［１］第１の通信デバイスをマルチキャストグループに加える方法において、
前記第１の通信デバイスと、すでに前記マルチキャストグループのメンバーである、第２の通信デバイスとの間に近距離通信リンクを確立することと、
前記近距離通信リンクを使用して、前記第２の通信デバイスから前記第１の通信デバイスに、前記マルチキャストグループに関係するマルチキャストサービス広告を送信することと、
前記マルチキャストサービス広告に基づいて、前記第１の通信デバイスを前記マルチキャストグループに加えることとを含む方法。
［２］前記マルチキャストサービス広告に基づいて、前記第１の通信デバイスを前記マルチキャストグループに加えることは、
前記第１の通信デバイスの通信機能に関係するシグナリングデータを、前記マルチキャストグループの別のメンバーに送信することを含む上記［１］記載の方法。
［３］前記マルチキャストサービス広告に基づいて、前記第１の通信デバイスを前記マルチキャストグループに加えることは、
前記第１の通信デバイスから前記第２の通信デバイスに、前記第１の通信デバイスの通信機能に関係するシグナリングデータを送信することと、
前記第２の通信デバイスから前記マルチキャストグループの別のメンバーに、前記シグナリングデータを送信することとを含む上記［１］記載の方法。
［４］前記シグナリングデータは、前記近距離通信リンクによって、前記第１のシグナリングデバイスから前記第２の通信デバイスに送信される上記［３］記載の方法。
［５］前記第１の通信デバイスから前記第２の通信デバイスに、マルチキャストサービス広告に対する要求を送信することをさらに含む上記［１］記載の方法。
［６］前記近距離通信リンクは、ニアフィールド通信（ＮＦＣ）プロトコル通信リンクである上記［１］記載の方法。
［７］マルチキャストグループを生成させる方法において、
マルチキャスト機能により、第１の通信デバイスと第２の通信デバイスとの間に近距離通信リンクを確立することと、
前記近距離通信リンクを使用して、前記第２の通信デバイスから前記第１の通信デバイスに、マルチキャストグループを生成させることに関係するマルチキャストサービス広告を送信することと、
前記第１の通信デバイスと前記第２の通信デバイスとを含むマルチキャストグループを確立することとを含む方法。
［８］前記第１の通信デバイスから前記第２の通信デバイスに、前記第１の通信デバイスの機能に関係するシグナリングデータを送信することをさらに含む上記［７］記載の方法。
［９］前記第１の通信デバイスから前記第２の通信デバイスに、マルチキャストサービス広告に対する要求を送信することをさらに含む上記［７］記載の方法。
［１０］第３の通信デバイスと前記第２の通信デバイスとの間に近距離通信リンクを確立することと、
前記近距離通信リンクを使用して、前記第２の通信デバイスから前記第３の通信デバイスに、前記マルチキャストグループに関係するマルチキャストサービス広告を送信することと、
前記マルチキャストサービス広告に基づいて、前記第３の通信デバイスを前記マルチキャストグループに加えることとを含む方法。
［１１］前記近距離通信リンクは、ニアフィールド通信（ＮＦＣ）プロトコル通信リンクである上記［７］記載の方法。
［１２］第１の通信デバイスをマルチキャストグループから取り除く方法において、
マルチキャストグループのメンバーである、前記第１の通信デバイスと、同様に前記マルチキャストグループのメンバーである、第２の通信デバイスとの間に近距離通信リンクを確立することと、
前記第１の通信デバイスから前記第２の通信デバイスに、切断メッセージを送信することと、
前記第１の通信デバイスを前記マルチキャストグループから取り除くこととを含む方法。
［１３］前記第２の通信デバイスから前記マルチキャストグループの他のメンバーに、前記切断メッセージを送信することをさらに含む上記［１２］記載の方法。
［１４］前記近距離通信リンクは、ニアフィールド通信（ＮＦＣ）プロトコル通信リンクである上記［１２］記載の方法。
［１５］移動デバイスにおいて、
プロセッサと、
前記プロセッサに結合された第１のトランシーバと、
前記プロセッサに結合された第２のトランシーバと、
前記プロセッサに結合されたメモリとを具備し、
前記第２のトランシーバは近距離通信トランシーバであり、
前記プロセッサは、
前記第２のトランシーバによって、前記移動デバイスと通信デバイスとの間に近距離通信リンクを確立することと、
前記近距離通信によって伝達される情報に基づいて、マルチキャストグループに加わり、マルチキャストグループ通信は、前記第１のトランシーバによって送信および受信されることと、
を含むステップを実行するためのソフトウェア命令を備えるように構成されている移動デバイス。
［１６］前記プロセッサは、前記近距離通信リンクによって、すでに前記マルチキャストグループのメンバーである前記通信デバイスから、前記マルチキャストグループに関係するマルチキャストサービス広告を受信することをさらに含むステップを実行するためのソフトウェア命令を備えるように構成されており、
前記マルチキャストグループに加わることは、前記受信したマルチキャストサービス広告に基づいて、前記移動デバイスが前記マルチキャストグループに加わることを含む上記［１５］記載の移動デバイス。
［１７］前記プロセッサは、前記移動デバイスの通信機能に関係するシグナリングデータを前記マルチキャストグループの別のメンバーに送信することをさらに含むステップを実行するためのソフトウェア命令を備えるように構成されている上記［１６］記載の移動デバイス。
［１８］前記プロセッサは、前記近距離通信リンクによって、前記移動デバイスの通信機能に関係するシグナリングデータを前記通信デバイスに送信することをさらに含むステップを実行するためのソフトウェア命令を備えるように構成されている上記［１６］記載の移動デバイス。
［１９］前記プロセッサは、前記近距離通信リンクによって、マルチキャストサービス広告に対する要求を前記通信デバイスに送信することをさらに含むステップを実行するためのソフトウェア命令を備えるように構成されている上記［１６］記載の移動デバイス。
［２０］前記プロセッサは、前記近距離通信リンクによって、前記通信デバイスからマルチキャストグループを生成させることに関係するマルチキャストサービス広告を送信することをさらに含むステップを実行するためのソフトウェア命令を備えるように構成されており、
前記マルチキャストグループに加わることは、前記マルチキャストサービス広告に基づいて、前記移動デバイスと前記通信デバイスとを含む前記マルチキャストグループを確立することを含む上記［１５］記載の移動デバイス。
［２１］前記プロセッサは、前記近距離通信リンクによって、前記通信デバイスの通信機能に関係するシグナリングデータを前記通信デバイスから受信することをさらに含むステップを実行するためのソフトウェア命令を備えるように構成されている上記［２０］記載の移動デバイス。
［２２］前記プロセッサは、前記近距離通信リンクによって、前記移動デバイスがメンバーである、確立されたマルチキャストグループに関係するマルチキャストサービス広告を前記通信デバイスに送信することをさらに含むステップを実行するためのソフトウェア命令を備えるように構成されており、
前記マルチキャストグループに加わることは、前記マルチキャストサービス広告に基づいて、前記移動デバイスを含む前記マルチキャストグループに前記通信デバイスが加わることを含む上記［１５］記載の移動デバイス。
［２３］前記プロセッサは、前記近距離通信リンクによって、前記通信デバイスからマルチキャストサービス広告に対する要求を受信することをさらに含むステップを実行するためのソフトウェア命令を備えるように構成されている上記［２２］記載の移動デバイス。
［２４］前記プロセッサは、前記近距離通信リンクによって前記通信デバイスに切断メッセージを送信することをさらに含むステップを実行するためのソフトウェア命令を備えるように構成されている上記［１６］記載の移動デバイス。
［２５］前記第２のトランシーバは、ニアフィールド通信（ＮＦＣ）プロトコルトランシーバである上記［１］記載の移動デバイス。
［２６］有体的記憶媒体において、
移動デバイスと通信デバイスとの間に近距離通信リンクを確立することと、
前記近距離通信リンクによって伝達される情報に基づいて、マルチキャストグループに加わることとを含むステップをプロセッサに実行させるように構成されているプロセッサ実行可能ソフトウェア命令を記憶した有体的記憶媒体。
［２７］前記有体的記憶媒体は、前記近距離通信リンクによって、すでに前記マルチキャストグループのメンバーである前記通信デバイスから、前記マルチキャストグループに関係するマルチキャストサービス広告を受信することを含むステップをプロセッサにさらに実行させるように構成されているプロセッサ実行可能ソフトウェア命令を有し、
前記マルチキャストグループに加わることは、前記受信したマルチキャストサービス広告に基づいて、前記移動デバイスが前記マルチキャストグループに加わることを含む上記［２６］記載の有体的記憶媒体。
［２８］前記有体的記憶媒体は、前記移動デバイスの通信機能に関係するシグナリングデータを前記マルチキャストグループの別のメンバーに送信することを含むステップをプロセッサにさらに実行させるように構成されているプロセッサ実行可能ソフトウェア命令を有する上記［２７］記載の有体的記憶媒体。
［２９］前記有体的記憶媒体は、前記近距離通信リンクによって、前記プロセッサに利用可能な通信機能に関係するシグナリングデータを前記通信デバイスに送信すること含むステップをプロセッサにさらに実行させるように構成されているプロセッサ実行可能ソフトウェア命令を有する上記［２７］記載の有体的記憶媒体。
［３０］前記有体的記憶媒体は、前記近距離通信リンクによって、マルチキャストサービス広告に対する要求を前記通信デバイスに送信すること含むステップをプロセッサにさらに実行させるように構成されているプロセッサ実行可能ソフトウェア命令を有する上記［２７］記載の有体的記憶媒体。
［３１］前記有体的記憶媒体は、前記近距離通信リンクによって、前記通信デバイスからマルチキャストグループを生成させることに関係するマルチキャストサービス広告を送信すること含むステップをプロセッサにさらに実行させるように構成されているプロセッサ実行可能ソフトウェア命令を有し、
前記マルチキャストグループに加わることは、前記マルチキャストサービス広告に基づいて、前記移動デバイスと前記通信デバイスとを含む前記マルチキャストグループを確立することを含む上記［２６］記載の有体的記憶媒体。
［３２］前記有体的記憶媒体は、前記近距離通信リンクによって、前記通信デバイスの通信機能に関係するシグナリングデータを前記通信デバイスから受信すること含むステップをプロセッサにさらに実行させるように構成されているプロセッサ実行可能ソフトウェア命令を有する上記［３１］記載の有体的記憶媒体。
［３３］前記有体的記憶媒体は、前記近距離通信リンクによって、前記移動デバイスがメンバーである、確立されたマルチキャストグループに関係するマルチキャストサービス広告を前記通信デバイスに送信すること含むステップをプロセッサにさらに実行させるように構成されているプロセッサ実行可能ソフトウェア命令を有し、
前記マルチキャストグループに加わることは、前記マルチキャストサービス広告に基づいて、前記移動デバイスを含む前記マルチキャストグループに前記通信デバイスが加わることを含む上記［２６］記載の有体的記憶媒体。
［３４］前記有体的記憶媒体は、前記近距離通信リンクによって、前記通信デバイスからマルチキャストサービス広告に対する要求を受信すること含むステップをプロセッサにさらに実行させるように構成されているプロセッサ実行可能ソフトウェア命令を有する上記［３３］記載の有体的記憶媒体。
［３５］前記有体的記憶媒体は、前記近距離通信リンクによって前記通信デバイスに切断メッセージを送信することを含むステップをプロセッサにさらに実行させるように構成されているプロセッサ実行可能ソフトウェア命令を有する上記［２７］記載の有体的記憶媒体。
［３６］移動デバイスにおいて、
前記移動デバイスと通信デバイスとの間に近距離通信リンクを確立する手段と、
前記近距離通信リンクによって伝達される情報に基づいて、マルチキャストグループに加わる手段とを具備する移動デバイス。
［３７］前記近距離通信リンクによって、すでに前記マルチキャストグループのメンバーである前記通信デバイスから、前記マルチキャストグループに関係するマルチキャストサービス広告を受信する手段をさらに具備し、
前記マルチキャストグループに加わる手段は、前記受信したマルチキャストサービス広告に基づいて、前記移動デバイスが前記マルチキャストグループに加わることを含む上記［３６］記載の移動デバイス。
［３８］前記移動デバイスの通信機能に関係するシグナリングデータを前記マルチキャストグループの別のメンバーに送信する手段をさらに具備する上記［３７］記載の移動デバイス。
［３９］前記移動デバイスの通信機能に関係するシグナリングデータを前記通信デバイスに送信する手段をさらに具備する上記［３７］記載の移動デバイス。
［４０］前記近距離通信リンクによって、マルチキャストサービス広告に対する要求を前記通信デバイスに送信する手段をさらに具備する上記［３７］記載の移動デバイス。
［４１］前記近距離通信リンクによって、前記通信デバイスからマルチキャストグループを生成させることに関係するマルチキャストサービス広告を送信する手段をさらに具備し、
前記マルチキャストグループに加わる手段は、前記マルチキャストサービス広告に基づいて、前記移動デバイスと前記通信デバイスとを含む前記マルチキャストグループを確立する手段を備える上記［３６］記載の移動デバイス。
［４２］前記近距離通信リンクによって、前記通信デバイスの通信機能に関係するシグナリングデータを受信する手段をさらに具備する上記［４１］記載の移動デバイス。
［４３］前記近距離通信リンクによって、前記移動デバイスがメンバーである、確立されたマルチキャストグループに関係するマルチキャストサービス広告を前記通信デバイスに送信する手段をさらに具備し、
前記マルチキャストグループに加わる手段は、前記マルチキャストサービス広告に基づいて、前記移動デバイスを含む前記マルチキャストグループに前記通信デバイスが加わる手段を備える上記［３６］記載の移動デバイス。
［４４］前記近距離通信リンクによって、前記通信デバイスからマルチキャストサービス広告に対する要求を受信する手段をさらに具備する上記［４２］記載の移動デバイス。
［４５］前記近距離通信リンクによって、前記通信デバイスに切断メッセージを送信する手段をさらに具備する上記［３７］記載の移動デバイス。
［４６］前記移動デバイスと通信デバイスとの間に近距離通信リンクを確立する手段は、ニアフィールド通信（ＮＦＣ）プロトコル通信リンクを確立する手段を備える上記［３６］記載の移動デバイス。
［４７］システムにおいて、
ネットワークと、
第１のトランシーバおよび第２のトランシーバを含む第１の通信デバイスと、
第３のトランシーバおよび第４のトランシーバを含む第２の通信デバイスとを具備し、
前記第１のトランシーバは、前記ネットワークによって通信するように構成されており、前記第２のトランシーバは、近距離通信トランシーバであり、
前記第３のトランシーバは、前記ネットワークによって通信するように構成されており、前記第４のトランシーバは、近距離通信トランシーバであり、
前記第１および第２の通信デバイスは、前記第２および第４のトランシーバによって、移動体の間に近距離通信リンクを確立し、かつ、前記近距離通信リンクによって伝達される情報に基づいて、前記第１および第３のトランシーバの間にマルチキャストグループ通信を確立するように構成されているシステム。